(57)【特許請求の範囲】
【請求項１】
全体が断熱されたコンテナーと、前記コンテナー内に設置される水槽部とを備えた搬送自在の移動式氷室であって、
前記コンテナーは、前端部に扉部が開閉自在に設けられると共に、前端上部に入気口が配設され、後端上部にダンパーが設けられ、後端下部にダクト連結用のプラグが配設され、前記水槽部は複数段に積載自在の複数の水タンクを備え、前記水タンクは、搬送中の前記水タンク内の氷結していない水分の漏れを防ぐため、前記水タンクの上端を被蔽する天板を備え、前記天板に、注排水を行うため中空部が注水口として用いられ、前記天板に立設する注水筒と、前記注水筒による注排水を円滑にするため給排気を行う給排気筒とが配設され、前記水タンクを複数段に積み重ねた時、積載状態が崩れないように、前記水タンクの上下端に凹凸部から成る係合手段、又は、前記水タンク端部の内周径を、積重ねる水タンク端部の外周径より大にして成る係合手段を設け、上下段の水タンクの間に冷気が流通するように、前記水タンクの下端部に外周部を一部切欠した切欠き部を形成したことを特徴とする移動式氷室。
【請求項２】
請求項１記載の移動式氷室の使用方法であって、冬季に於いて、上端を天板で被蔽した前記複数の水タンク内に前記給排気筒から排気させながら前記注水筒から水を入れ、前記扉部及び前記ダンパーを開き、前記扉部から外の冷気を前記コンテナー内に導入し、前記水タンクを冷却すると共に前記切欠き部に冷気を流通させることにより、前記水タンクの表面全体を冷却し、前記ダンパーより排気させて、前記複数の水タンク内の水を製氷させ、製氷後は、前記扉部及び前記ダンパーを閉じて前記コンテナーを密閉して夏季まで保存し、
夏季に於いて、前記プラグにダクトを連結し、前記ダクトを冷熱利用施設に連結し、前記入気口を開き、前記ダクトに設けた送風機を介してコンテナー内の冷熱を前記冷熱利用施設に送風することを特徴とする移動式氷室の使用方法。
【請求項３】
前記複数の水タンク内の水を製氷させた後、前記扉部を閉じて前記コンテナーを密閉し、保存した状態で、製氷した場所から前記冷熱利用施設の設置された場所まで、前記水タンクの上端を被蔽する天板及び中空部が注水口として用いられ、前記天板に立設する注水筒によって、前記水タンク内の氷結していない水分を漏水させることなく、前記移動式氷室を搬送することを特徴とする請求項２記載の移動式氷室の使用方法。
【発明の詳細な説明】
【技術分野】
【０００１】
本発明は、寒冷地において冬季に氷結させた自然氷を、寒冷地のみではなく、寒冷地以外の夏季の冷房、冷蔵に使用できるようにした移動式氷室とその使用方法に関する。
【背景技術】
【０００２】
現在、世界に於いてエネルギー消費が急激に増加し、そのため地球温暖化が加速している。地球温暖化は、各国でその対策が求められており、特に、先進国に於いては、エネルギー消費も激しく、率先して対策を講じる必要が生じている。
又、地球温暖化を防止するため、化石燃料に代わるＣＯ２を排出しない代替エネルギーが求められている。
我が国は、省エネ対策が進み、省エネ先進国となっているが、それでも全体のエネルギー需要は伸び続けており、更なる対策が求められている。
【０００３】
その対策の一つとして、例えば、夏季に於ける冷房等で使用するエネルギー消費を減らすことで、地球温暖化の抑制効果が期待できる。
そこで、夏季に於ける冷房等に、例えば、寒冷地における冬季の自然氷を利用すれば、エネルギー消費の減少化を図ることができるが、昔から、池、沼の天然氷を切り出して洞窟や地下室に、のこ屑、籾殻等で断熱して、暖候期まで貯蔵し、これを取り出し部屋の冷房や食品の冷蔵に使うことが行なわれてきた。
最近は、池の天然氷を切り出して断熱倉庫に貯蔵し、氷が解ける時の潜熱で野菜や果物等を貯蔵したり、池から切り出した氷を遠隔地まで運ぶことも行なわれている。
現在、地球温暖化が進んでいるとは言え、冬季間の本州の高地や北海道であれば何処でも自然氷を作ることは可能である。
【０００４】
此種の先行文献として、例えば、特許文献１があり、特許文献１には、冬季に降った雪や、天然氷結により製氷した氷を貯氷室で夏季まで保存し、夏季には、貯氷室から蓄熱槽に搬送し、冷房、冷蔵の需要に従って蓄熱槽や、その周辺機器において融解させる蓄熱・熱交換システムが記載されている。
【特許文献１】特開平７−３０５８７３号公報
【発明の開示】
【発明が解決しようとする課題】
【０００５】
前述したように、池、沼の天然氷を切り出して暖候期まで貯蔵し、これを部屋の冷房や食品の冷蔵に使うことは、従来行なわれている。
又、池から切り出した氷を遠隔地まで運ぶことも行なわれている。
然しながら、その場合は、氷を池や沼から切り出す作業や、氷の保管作業等が伴い、寒気の中での切り出し作業は極めて困難なものであり、更に、切り出した氷を保管するための取り扱いも容易ではない等の問題があった。
又、特許文献１は、貯氷室を地中等に設置するものであり、可搬式のものではないため、貯氷室を離れた地域に運搬して利用することは想定されていない。
【０００６】
以上の現状に鑑み、本発明は、寒冷地において冬季に氷結させた自然氷を、寒冷地のみではなく、寒冷地以外の夏季の冷房、冷蔵に容易に使用できるようにした移動式氷室とその使用方法を提供することを目的とする。
【課題を解決するための手段】
【０００７】
上記の課題を解決すべく、本発明は以下の構成を提供する。
請求項１に係る発明は、全体が断熱されたコンテナーと、前記コンテナー内に設置される水槽部とを備えた搬送自在の移動式氷室であって、
前記コンテナーは、前端部に扉部が開閉自在に設けられると共に、前端上部に入気口が配設され、後端上部にダンパーが設けられ、後端下部にダクト連結用のプラグが配設され、前記水槽部は複数段に積載自在の複数の水タンクを備え、前記水タンクは、搬送中の前記水タンク内の氷結していない水分の漏れを防ぐため、前記水タンクの上端を被蔽する天板を備え、前記天板に、注排水を行うため中空部が注水口として用いられ、前記天板に立設する注水筒と、前記注水筒による注排水を円滑にするため給排気を行う給排気筒とが配設され、前記水タンクを複数段に積み重ねた時、積載状態が崩れないように、前記水タンクの上下端に凹凸部から成る係合手段、又は、前記水タンク端部の内周径を、積重ねる水タンク端部の外周径より大にして成る係合手段を設け、上下段の水タンクの間に冷気が流通するように、前記水タンクの下端部に外周部を一部切欠した切欠き部を形成したことを特徴とする移動式氷室を提供するものである。
【０００８】
請求項２に係る発明は、請求項１記載の移動式氷室の使用方法であって、冬季に於いて、上端を天板で被蔽した前記複数の水タンク内に前記給排気筒から排気させながら前記注水筒から水を入れ、前記扉部及び前記ダンパーを開き、前記扉部から外の冷気を前記コンテナー内に導入し、前記水タンクを冷却すると共に前記切欠き部に冷気を流通させることにより、前記水タンクの表面全体を冷却し、前記ダンパーより排気させて、前記複数の水タンク内の水を製氷させ、製氷後は、前記扉部及び前記ダンパーを閉じて前記コンテナーを密閉して夏季まで保存し、
夏季に於いて、前記プラグにダクトを連結し、前記ダクトを冷熱利用施設に連結し、前記入気口を開き、前記ダクトに設けた送風機を介してコンテナー内の冷熱を前記冷熱利用施設に送風することを特徴とする移動式氷室の使用方法を提供するものである。
【０００９】
請求項３に係る発明は、前記複数の水タンク内の水を製氷させた後、前記扉部を閉じて前記コンテナーを密閉し、保存した状態で、製氷した場所から前記冷熱利用施設の設置された場所まで、前記水タンクの上端を被蔽する天板及び中空部が注水口として用いられ、前記天板に立設する注水筒によって、前記水タンク内の氷結していない水分を漏水させることなく、前記移動式氷室を搬送することを特徴とする請求項２記載の移動式氷室の使用方法を提供するものである。
【発明の効果】
【００１０】
本発明の請求項１記載の発明によれば、寒冷地において冬季に氷結させた自然氷を、寒冷地のみではなく、寒冷地以外の夏季の冷房、冷蔵に容易に使用できるようにした移動式氷室を提供することができる。
又、コンテナーの後端上部にダンパーが設けられることにより、コンテナー内の主として比較的温かい空気が排気され、コンテナーの前端上部に入気口が配設され、後端下部にダクト連結用のプラグが配設されていることにより、コンテナー内の主として比較的冷たい空気がダクトに流れる構成であるので、熱効率を高めることができる。
更に、従来の天然氷や大きな水槽で作られる氷の冷気の受温は主に表面からであるが、本発明の水タンクは容器の表面全体からの受温であるので冷却効率が良い。
更に又、本発明の水タンクは上端を被蔽する天板を備え、天板に注水口が配設されているので、注水口を小さくすることができ、これにより、運搬中の水タンク内の氷結していない水分の漏れを防止することができ、運搬に適している。
【００１１】
請求項２記載の発明によれば、容易な作業で、寒冷地において冬季に氷結させた自然氷を、寒冷地のみではなく、寒冷地以外の夏季の冷房、冷蔵に使用できるようにした移動式氷室の使用方法を提供することができる。
【００１２】
請求項３記載の発明によれば、請求項２記載の発明の効果に加え、移動式氷室を搬送することにより、製氷した場所から離れた場所で冷房、冷蔵に使用することができる。
【発明を実施するための最良の形態】
【００１３】
以下、実施例を示した図面を参照しつつ本発明の実施の形態を説明する。
図１に於いて、１は本発明の第１発明の移動式氷室であり、移動式氷室１は、全体が断熱されたコンテナー２と、コンテナー２内に設置される水槽部３とを備えた搬送自在の移動式氷室である。
【００１４】
コンテナー２は、平面方形の床板４と、この床板４の左右辺に立設された左右側面板５，６と、床板４の後辺に立設された背面板７と、左右側面板５，６及び後面板７の上端に張設された天井板８を備えた前端開放の筐体からなり、前端部に扉部９が開閉自在に設けられている。コンテナー２として、例えば、鉄道、道路、船舶輸送ができる充分に断熱加工されたＪＲコンテナー等を用いることができる。
尚、図中、１０は床板４下面の前後部分に配設された脚である。
【００１５】
扉部９は観音開きの左右扉２１、２２で構成され、左扉２１の上部に入気口２３が設けられている。尚、入気口２３の取付位置は前述の取付位置に限定されるものではなく、右扉２２の上部に入気口２３を設けても良い。或いは、コンテナー２の前端部の扉部９の上方に前面板（図示せず）を設け、その前面板に入気口２３を設けても良い。
背面板７の中央上部には手動式ダンパー２４が開閉自在に配設され、中央下部にはダクト（図２において３７）に連結するためのプラグ２５が配設されている。
【００１６】
水槽部３は、複数段に積載自在の複数の水タンク３１，３１…を備えている。
水タンク３１は、プラスチック製（又は、ＦＲＰ製、或いは金属製）の柱状のタンクに形成され、複数の水タンク３１，３１…が、水タンク３１，３１間に空気が流れ、運搬中も荷崩れしない適当な最小間隔で積み込まれる。
そして、水タンク３１は、図１（ｃ）に示すように上端開放の有低円筒状タンク３１ａと、上端を被蔽する天板３１ｂとを備え、天板３１ｂに、天板３１ｂを貫通して立設する円筒状の注水筒３２が配設され、注水筒３２の中空部が注水口３３として用いられる。
【００１７】
尚、水タンク３１は、前述した円筒状タンクに限定されるものではなく、角筒、三角筒、楕円筒等のタンクであっても良く、その他の形状であってもよい。又、水タンク３１には、複数段に積載した時、積載状態が崩れないように、上下の水タンク３１，３１の間に適宜の係合手段が設けられている。
例えば、下段の水タンク３１の上端に立設する凸部を設け、上段の水タンク３１の下端に前記凸部を係合させる凹部を設け、凸部を凹部に係合させて水タンク３１を積み重ねても良く、或いは、上段の水タンク３１の下端部の内周径を下段の水タンク３１の上端部の外周径よりも大にして、下段の水タンク３１の上端部に上段の水タンク３１の下端部を被せるように積み重ねても良い。
又、下段の水タンク３１と上段の水タンク３１の間に冷気が流通するように、例えば、上段の水タンク３１の下端部に、外周部を一部切欠した切欠き部３４を形成しても良い。
尚、図に於いて、３５は注水口３３による注水又は排水を円滑にするために、水タンク３１内の排気又は給気をおこなうための給排気筒である。３６は、水タンク３１に生成された氷層を示している。
【００１８】
水タンク３１には、ＢＯＤ値が低く、ミネラル、空気を除去した浄化水を注水する。浄化水を注水することにより、水から氷への状態変化時の容積増を最小にすることができ、これにより、多くの水を水タンク３内に入れることが可能となり、タンク容量を最大限に活用できる。
【００１９】
図２に於いて、３７は、プラグ２５に連結するダクトであり、ダクト３７は、管路にダクトファン３８を有し、夏季にダクト３７をプラグ２５に連結し、ダクトファン３８を回転させて冷熱利用施設へコンテナー２内の冷熱を送るように構成されている。
【００２０】
本発明の第２発明は前記移動式氷室１の使用方法であり、第２発明の移動式氷室の使用方法は次のとおりである。
先ず、図１に示す如く、冬季に於いて、前記移動式氷室１の複数の水タンク３１，３１…内に水を入れ、移動式氷室１の扉部９及び手動式ダンパー２４を開き、自然換気により、扉部９から外の冷気をコンテナー２内に導入し、手動式ダンパー２４より排気させて、複数の水タンク３１，３１…内の水を製氷させ、製氷後は、扉部９及び手動式ダンパー２４を閉じてコンテナー２を密閉し、夏季まで保存する。
そして、密閉した移動式氷室１を製氷した場所から冷熱利用施設（図示せず）の設置された場所まで、適宜搬送する。
次に、図２に示す如く、夏季に於いて、プラグ２５にダクト３７を連結し、ダクト３７を冷熱利用施設（図示せず）に連結し、入気口２３を開き、ダクト３７に設けたダクトファン３８を介してコンテナー２内の冷熱を冷熱利用施設に送風する。
本発明の移動式氷室１及び移動式氷室の使用方法によれば、前述の製氷時に於いて、手動式ダンパー２４がコンテナー２の後端上部に設けられているので、コンテナー２内の上部に位置する主として比較的温かい空気が手動式ダンパー２４から排気され、前述の送風時に於いて、入気口２３がコンテナー２の前端上部に配設され、ダクト３７連結用のプラグ２５がコンテナー２の後端下部に配設されているので、コンテナー２内の下部に位置する主として比較的冷たい空気がダクト３７に流れ、熱交換効率を高めることができる。
【００２１】
本発明の第１発明の移動式氷室１の用途として、例えば次のようなものがあり、それらの用途のために、第２発明の移動式氷室の使用方法を適用することができる。
（１）住宅、事務所、店舗の除湿冷房の冷熱源
（２）高熱作業場の局所冷房の冷熱源
（３）イベント会場の除湿冷房の冷熱源
（４）農家の朝取り直売場の一時貯蔵庫の冷熱源
（５）農産物の短中期貯蔵庫の冷熱源
（６）発酵・醸造食品、生ハム、生肉の熟成庫の冷熱源
【図面の簡単な説明】
【００２２】
【図１】（ａ）冬季に於ける使用方法を示す本発明の移動式氷室の平面断面図である。（ｂ）冬季に於ける使用方法を示す本発明の移動式氷室の正面縦断面図である。（ｃ）本発明による水タンクの一部切欠正面縦断面図である。
【図２】（ａ）夏季に於ける使用方法を示す本発明の移動式氷室の平面断面図である。（ｂ）夏季に於ける使用方法を示す本発明の移動式氷室の正面縦断面図である。
【符号の説明】
【００２３】
１  移動式氷室
２  コンテナー
３  水槽部
９  扉部
２３  入気口
２５  プラグ
３１  水タンク
３１ｂ  天板
３３  注水口
３７  ダクト
【図１】
0004769786.tif 000002
【図２】
0004769786.tif 000003